(57)【要約】  折り畳まれた輸送形態と拡張された運用形態との間で転換可能である可搬式シェルタ。シェルタは、閉鎖位置と開放位置との間で選択的に枢動する袖壁を有するコンテナと、可撓性の膨張可能な支持構造体及び可撓性のカバーを有する膨張可能テントとを含む。袖壁が開放位置にあるとき、膨張可能な支持構造体は、折り畳まれた形態から運用形態まで選択的に膨張可能であり、それにより拡張された運用形態でカバーを袖壁上に支持してカバーが遮蔽空間を形成する。膨張可能な支持構造体は、運用形態から折り畳まれた形態まで選択的に収縮可能であり、その後、第１の袖壁は、シェルタが輸送形態であるように、閉鎖位置に枢動して、コンテナの内部空間内にテントを格納することができる。
2018532920.tif 000002
【特許請求の範囲】
【請求項１】
折り畳まれた輸送形態と拡張された運用形態との間で転換可能であるシェルタであって、前記シェルタは、
屋根と、閉鎖位置と開放位置との間で選択的に枢動する第１の袖壁とを含むコンテナと、
可撓性の膨張可能な支持構造体及び可撓性のカバーを含む膨張可能な第１のテントであって、前記第１の袖壁が開放位置にあるとき、前記膨張可能な支持構造体は、拡張された運用形態まで選択的に膨張可能であり、それにより拡張された運用形態で前記カバーを支持して前記カバーが前記第１の袖壁上に遮蔽空間を形成し、前記膨張可能な支持構造体は、折り畳まれた形態まで選択的に収縮可能であり、それにより前記第１の袖壁が前記閉鎖位置に枢動され得る、膨張可能な第１のテントと、
を備える、シェルタ。
【請求項２】
前記膨張可能な支持構造体は、１つ以上のチューブを含み、各チューブが加圧ガスを収容するように適合した内腔を有する、請求項１に記載のシェルタ。
【請求項３】
前記膨張可能な支持構造体は、可撓性の第１の支持フレームを含み、前記第１の支持フレームは加圧ガスを収容するように適合したチューブを備える、請求項１に記載のシェルタ。
【請求項４】
前記支持構造体の前記第１の支持フレームは、第１の脚部と、前記第１の脚部から離間した第２の脚部と、前記第１の脚部と前記第２の脚部との間に延在する梁部とを含み、前記第１の脚部、前記第２の脚部及び前記梁部は各々、加圧ガスを収容するように適合したチューブを備える、請求項３に記載のシェルタ。
【請求項５】
前記第１の支持構造体の前記第１の脚部、前記第２の脚部及び前記梁部の前記チューブは、互いに流体連通する、請求項４に記載のシェルタ。
【請求項６】
前記支持構造体が前記運用形態であるとき、前記第１の支持構造体の前記梁部は、前記コンテナの前記屋根の高度より高い高度に少なくとも部分的に位置する、請求項４に記載のシェルタ。
【請求項７】
前記第１の支持構造体の前記梁部は、略アーチ状であり、傾斜した第１の垂木状部材と、傾斜した第２の垂木状部材とを含む、請求項４に記載のシェルタ。
【請求項８】
前記第１の袖壁が前記開放位置にあり且つ前記支持構造体が前記運用形態であるとき、前記第１の支持フレームの前記第１の脚部は、前記コンテナの第１の側面における開口部の第１の側縁に隣接して位置し、前記第１の支持フレームの第２の脚部は、前記コンテナの前記第１の側面における前記開口部の第２の側縁に隣接して位置する、請求項３に記載のシェルタ。
【請求項９】
前記膨張可能な支持構造体は可撓性の第２の支持フレームを含み、前記第２の支持フレームは加圧ガスを収容するように適合したチューブを備え、前記第２の支持フレームは前記第１の支持フレームから離間する、請求項３に記載のシェルタ。
【請求項１０】
前記第２の支持フレームは、第１の脚部と、第２の脚部と、前記第２の支持フレームの前記第１の脚部と前記第２の脚部との間に延在する梁部とを含み、前記第２の支持フレームの前記第１の脚部、前記第２の脚部及び前記梁部は各々、加圧ガスを収容するように適合したチューブを備える、請求項９に記載のシェルタ。
【請求項１１】
前記第１の支持フレームと前記第２の支持フレームとの間に延在する１つ以上の支材を含み、各支材は加圧ガスを収容するように適合したチューブを備える、請求項９に記載のシェルタ。
【請求項１２】
前記第１の支持フレームの前記チューブ、前記第２の支持フレームの前記チューブ及び前記支材の前記チューブは、互いに流体連通する、請求項１１に記載のシェルタ。
【請求項１３】
前記第１の支持フレームの前記第１の脚部及び前記第２の脚部並びに前記第２の支持フレームの前記第１の脚部及び前記第２の脚部は、前記第１の袖壁のそれぞれの角部に隣接して位置する、請求項１０に記載のシェルタ。
【請求項１４】
前記第１のテントの前記カバーは、前記第１の支持フレームの前記梁部によって支持された屋根を含み、前記支持構造体が前記運用形態であるとき、前記第１のテントの前記屋根は、前記コンテナの前記屋根の高度より高い高度に位置する、請求項４に記載のシェルタ。
【請求項１５】
前記第１のテントの前記カバーは、端壁と、前記端壁に位置する通気口とを含み、前記支持構造体が前記運用形態であるとき、前記通気口は、前記コンテナの前記屋根の高度より高い高度に位置する、請求項１に記載のシェルタ。
【請求項１６】
前記第１の袖壁が開放位置にあり且つ前記支持構造体が前記運用形態であるとき、前記第１のテントの前記カバーは、前記コンテナの前記第１の側面における開口部の上縁に向かって前記第１の支持フレームの前記梁部から下方に延在する内端壁と、前記第１の袖壁の遠位縁に向かって前記第２の支持フレームの前記梁部から下方に延在する外端壁とを含む、請求項１０に記載のシェルタ。
【請求項１７】
前記第１のテントの前記カバーは、外側カバーを備え、前記第１のテントは、運用形態で前記膨張可能な支持構造体によって支持されるように適合した可撓性の内側カバーを含み、前記支持構造体が前記運用形態であるとき、前記内側カバーは前記外側カバーから離間する、請求項１に記載のシェルタ。
【請求項１８】
前記コンテナは、第２の袖壁を含み、前記第２の袖壁は閉鎖位置と開放位置との間で選択的に枢動し、前記シェルタは可撓性の膨張可能な支持構造体及び可撓性のカバーを含む膨張可能な第２のテントを備え、前記第２のテントの前記支持構造体は、運用形態まで選択的に膨張可能であり、それにより運用形態で前記第２のテントの前記カバーを支持し、前記第２のテントの前記支持構造体は、折り畳まれた形態まで選択的に収縮可能であり、それにより前記第２の袖壁が前記閉鎖位置に枢動され得る、請求項１に記載のシェルタ。
【請求項１９】
折り畳まれた輸送形態と拡張された運用形態との間でシェルタを転換する方法であって、前記方法は、
屋根と、閉鎖位置と開放位置との間で選択的に枢動する袖壁とを含むコンテナと、可撓性の膨張可能な支持構造体及び可撓性のカバーを含む膨張可能なテントとを提供することと、
前記袖壁を前記開放位置に枢動することと、
前記支持構造体を運用形態まで膨張させ、それにより拡張された運用形態で前記カバーを前記袖壁上に支持して前記カバーが遮蔽空間を形成することと、
を含む、方法。
【請求項２０】
前記支持構造体を前記運用形態から折り畳まれた形態まで収縮するステップと、
前記テントが前記コンテナ内に位置するように、前記袖壁を前記閉鎖位置に枢動するステップと、
を含む、請求項１９に記載の方法。
【発明の詳細な説明】
【技術分野】
【０００１】
関連出願
本出願は、２０１６年５月２７日に出願された米国仮特許出願第６２／３４２，３０６号、及び２０１５年９月１８日に出願された米国仮特許出願第６２／２２０，３６８号の利益を主張する。
【０００２】
本開示は、作業及び居住空間の提供のために展開することができ、かつシェルタの輸送のために折り畳むことができる、剛壁コンテナと、１つ以上の膨張可能テントとを含む可搬式拡張可能シェルタを対象とする。
【背景技術】
【０００３】
従来の拡張可能シェルタは、取り付けるのに重くて煩雑であった剛性金属柱、フレーム、及び支持部材によって支持された可撓性のカバーを含んでいた。カバーは、個々によって支えられることが必要であったが、支持フレームの金属支持部材は所定位置に組み立てられ、操作されていた。支持部材が所定位置にあると、補強材は、金属支持部材を所定位置に保持するように取り付けられる必要があった。シェルタの床が正確に水平にされなかった場合、金属の機械的支持部材及び／又はカバーは、過度の応力が加えられることになり、支持構造体又はカバーの損傷を引き起こし得る。加えて、従来の拡張可能シェルタは、ユーザに上部空間をほとんど提供しておらず、ユーザへの熱を低減するのに十分な気流を提供していなかった。
【図面の簡単な説明】
【０００４】
【図１】輸送用の折り畳まれた形態で示した可搬式拡張可能シェルタの斜視図である。
【図２】展開された開放位置でのコンテナの袖壁、及び開放位置での貨物ドアで示した拡張可能シェルタのコンテナの斜視図である。
【図３】展開された開放位置でのコンテナの袖壁、並びに例示の目的のためにテントの可撓性のカバーを示すことなく膨張及び展開された膨張可能テントの膨張可能な支持構造体で示した拡張可能シェルタの斜視図である。
【図４】展開された開放位置でのコンテナの袖壁、及び展開された形態での膨張可能テントを備えた、拡張展開された形態で示した拡張可能シェルタの斜視図である。
【図５】展開された開放位置でのコンテナの袖壁、及び展開された形態での膨張可能テントを備えた、拡張展開された形態で示した拡張可能シェルタの断面斜視図である。
【図６】図４の線６−６に沿って取られた断面図である。
【図７】展開された開放位置でのコンテナの袖壁、及び展開された形態での膨張可能テントを備えた、拡張展開された形態で示した可搬式拡張可能シェルタの別の実施形態の斜視図である。
【図８】拡張展開された形態で示した図７の拡張可能シェルタの側立面図である。
【図９】拡張展開された形態で示した図７の拡張可能シェルタの上部平面図である。
【図１０】拡張展開された形態で示した図７の拡張可能シェルタの端立面図である。
【図１１】図７の拡張可能シェルタの分解斜視図である。
【図１２】別の角度から取られた図７の拡張可能シェルタの分解斜視図である。
【発明を実施するための形態】
【０００５】
本開示は、可搬式の空気フレーム拡張可能シェルタに関する。可搬式拡張可能シェルタの例示的実施形態を図１〜図１２に示す。可搬式拡張可能シェルタ２０は、図１に示すような折り畳まれた出荷又は輸送形態と、シェルタ２０内に作業及び居住空間を提供するために図４に示すような拡張展開された運用形態との間で転換可能である。シェルタ２０は、図２に示すような剛壁コンテナ２２と、図４に示すような１つ以上の空気膨張可能テント２４Ａ〜Ｂとを含む。
【０００６】
剛壁コンテナ２２は、第１の端部２８と離間して略平行な第２の端部３０との間で略横方向に延在し、第１の側面３２と離間して略平行な第２の側面３４との間で横方向に延在する。コンテナ２２は、略矩形の剛性基部３６を含んでおり、床３８が基部３６の上部を形成する。基部３６は、コンテナ２２の第１の端部２８に位置する第１の端部４０と、コンテナ２２の第２の端部３０に位置する第２の端部４２と、コンテナ２２の第１の側面３２に位置する第１の側面４４と、コンテナ２２の第２の側面３４に位置する第２の側面４６とを含む。基部３６の第１の端部４０及び第２の端部４２は、基部３６の第１の側面４４と第２の側面４６との間で略直線状に延在する。基部３６の第１の側面４４及び第２の側面４６は、基部３６の第１の端部４０と第２の端部４２との間で略直線状に延在する。基部３６は、地面又は輸送車両などの支持面と係合するための底部を含む。基部３６は、フォークリフトのフォークを受容するように適合した第１の側面４４及び第２の側面４６に位置する複数のポケット４８を含む。
【０００７】
コンテナ２２は、基部３６及び床３８の上方に離間して略平行である剛性の略矩形かつ平坦な屋根５２を含む。屋根５２は、コンテナ２２の第１の端部２８に位置する第１の端部５４と、コンテナ２２の第２の端部３０に位置する第２の端部５６と、コンテナ２２の第１の側面３２に位置する第１の側面５８と、コンテナ２２の第２の側面３４に位置する第２の側面６０とを含む。屋根５２の第１の端部５４及び第２の端部５６は、屋根５２の第１の側面５８と第２の側面６０との間で略直線状に延在する。屋根５２の第１の側面５８及び第２の側面６０は、屋根５２の第１の端部５４と第２の端部５６との間で略直線状に延在する。
【０００８】
シェルタ２０は、複数の細長くて略直線状の隅柱６４Ａ〜Ｄを含む。各隅柱６４Ａ〜Ｄは、基部３６及び屋根５２のそれぞれの角部に位置する。各隅柱６４Ａ〜Ｄは、基部３６に連結された下端部６６から屋根５２に連結された上端部６８まで延在する。図６に示すように、各隅柱６４Ａ〜Ｄは、略矩形のチューブ状部材を含むことができる。各隅柱６４Ａ〜Ｄは、断熱材７０で部分的又は完全に充填された内腔を含むことができる。下隅ブロック７４は、各隅柱６４Ａ〜Ｄの下端部６６に連結される。上隅ブロック７６は、各隅柱６４Ａ〜Ｄの上端部６８に連結される。下隅ブロック７４及び上隅ブロック７６の各々は、ＩＳＯ隅ブロックに関して国際標準化機構（ＩＳＯ）の基準に適合する。下隅ブロック７４及び上隅ブロック７６の各々は、コンテナ２２を、他のコンテナ、又はトラック、列車、船舶及び航空機などの出荷車両に解放可能に連結するように適合した複数の孔を含む。
【０００９】
図１及び図２に示すように、コンテナ２２の第２の端部３０は、複数の貨物ドア８０Ａ及びＢを含むことができる。貨物ドア８０Ａは、基部３６と屋根５２との間に延在し、隅柱６４Ｂに隣接して位置する垂直な枢軸を中心とした枢動のためにコンテナ２２の第２の端部３０に枢動可能に連結される。貨物ドア８０Ｂは、基部３６と屋根５２との間で延在し、隅柱６４Ｃに隣接して位置する垂直な枢軸を中心とした枢動のためにコンテナ２２の第２の端部３０に枢動可能に連結される。貨物ドア８０Ａ及びＢは、図１に示すように閉鎖位置に解放可能に係止することができ、図２に示すように開放位置に枢動することができる。図２に示すように、貨物ドア８０Ａ及びＢが開放位置にあるとき、コンテナ２２内の内部遮蔽空間への開口部がコンテナ２２の第２の端部３０に形成される。人員ドア８２は、コンテナ２２の第１の端部２８に位置することができる。人員ドア８２は、第１の端部２８を通ってコンテナ２２の内部遮蔽空間への開口部を選択的に開閉するように閉鎖位置と開放位置との間で垂直な枢軸を中心として選択的に枢動することができる。あるいは、コンテナ２２の第２の端部３０は、全くドアを用いることなく形成されてもよく、又は１つ以上の窓で形成されてもよい。
【００１０】
コンテナ２２の第１の側面３２は、剛性の枢動袖壁８６Ａを含み、コンテナ２２の第２の側面３４は、剛性の枢動袖壁８６Ｂを含むことができる。必要に応じて、コンテナ２２は、枢動袖壁８６Ａのみ含むことができる。袖壁８６Ａ及びＢは、互いに略同一に構築することができる。袖壁８６Ａは、略平坦かつ矩形である。袖壁８６Ａは、基部３６の第１の側面４４に隣接して位置する略直線状の近位縁８８と、離間して略平行かつ直線状の遠位縁９０とを含む。袖壁８６Ａはまた、直線状の第１の側縁９２と、離間して略平行かつ直線状の第２の側縁９４とを含む。第１の側縁９２及び第２の側縁９４は、近位縁８８と遠位縁９０との間、かつそれらの近位縁及び遠位縁に略垂直に延在する。第１の側縁９２は、隅柱６４Ａに隣接して又はそれから内方に位置し、第２の側縁９４は、袖壁８６Ａが閉鎖位置にあるとき、隅柱６４Ｂに隣接して又はそれから内方に位置する。袖壁８６Ａは、外面９６と、袖壁８６Ａが開放位置にあるとき、略平坦であり、かつ床を形成する内面９８とを含む。
【００１１】
袖壁８６Ａの近位縁８８は、ヒンジ１０２などの１つ以上の連結部材によって、図１に示すような格納位置又は閉鎖位置と、図２に示すような開放位置又は展開位置との間で略水平な枢軸１００を中心とした枢動のために、コンテナ２２の第１の側面３２又は基部３６の第１の側面４４に枢動可能に連結される。袖壁８６Ａが図１に示すような閉鎖位置にあるとき、袖壁８６Ａは、略垂直であり、基部３６と屋根５２との間に延在する。袖壁８６Ａは、ラッチ１０４などの１つ以上の連結部材によって閉鎖位置で解放可能に係止することができ、このラッチは袖壁８６Ａの遠位縁９０をコンテナ２２の第１の側面３２又は屋根５２の第１の側面５８に解放可能に連結する。図２に示すように、袖壁８６Ａは、約９０度の角度で図２に示すように格納位置又は閉鎖位置から展開位置又は開放及び拡張位置に枢軸１００を中心として選択的に枢動することができ、その結果、袖壁８６Ａの内面９８は基部３６の床３８と略水平かつ同一平面である。
【００１２】
袖壁８６Ａが図２に示すように開放位置にあるとき、コンテナ２２の第１の側面３２で形成された矩形の開口部１０８が開いている。開口部１０８は、コンテナ２２の第１の側面３２で形成される、略直線状の上縁１１０、略直線状の第１の側縁１１２、及び略直線状の第２の側縁１１４によって形成される。上縁１１０は、屋根５２の第１の側面５８に略平行かつ下方に離間して延在し、基部３６の第１の側面４４に略平行に延在する。第１の側縁１１２は、基部３６の第１の側面４４と上縁１１０との間で略垂直に延在し、隅柱６４Ａに隣接して又はそれから内方に位置する。第２の側縁１１４は、基部３６の第１の側面４４と上縁１１０との間で略垂直かつ直線状に延在し、隅柱６４Ｂに隣接して又はそれから内方に位置する。開口部１０８の下縁は、基部３６の第１の側面４４によって形成される。袖壁８６Ａは、袖壁８６Ａが閉鎖位置にあるとき、開口部１０８を閉じる。コンテナ２２の第２の側面３４及び袖壁８６Ｂは、コンテナ２２の第１の側面３２及び袖壁８６Ａと同じように構築及び作動することができる。
【００１３】
コンテナ２２は、ＩＳＯ規格及び寸法に造られたＩＳＯコンテナ又は複合コンテナなどの標準化された出荷コンテナであり得る。２０フィートＩＳＯコンテナは、１９フィート１０．５インチの外部長さ、８フィート０インチの幅、及び８フィート０インチ、８フィート６インチ、又は９フィート６インチの高さを有する。４０フィートＩＳＯコンテナは、４０フィート０インチの外部寸法、８フィート０インチの幅、及び８フィート６インチ又は９フィート６インチの高さを有する。加えて、コンテナ２２は、Ｂｉｃｏｎ、Ｔｒｉｃｏｎ、又はＱｕａｄｃｏｎコンテナを含んでもよく、これらの各々は８フィート０インチの外部幅、及び８フィート０インチの高さを有する。長手方向にともに連結された２つのＢｉｃｏｎコンテナは、１つの２０フィートＩＳＯコンテナ相当の長さを有し、長手方向にともに連結された３つのＴｒｉｃｏｎコンテナは、１つの２０フィートＩＳＯコンテナ相当の長さを有し、長手方向にともに連結された４つのＱｕａｄｃｏｎコンテナは、１つの２０フィートＩＳＯコンテナ相当の長さを有する。コンテナ２２はまた、他の種類及びサイズの拡張可能コンテナ及びシェルタを含んでもよい。
【００１４】
膨張可能テント２４Ａは、可撓性かつ膨張可能な支持構造体１２０を含む。図３に示すように、膨張可能な支持構造体１２０は、可撓性かつ膨張可能な支持フレーム１２２と、離間して略平行な可撓性かつ膨張可能な支持フレーム１２４とを含む。支持フレーム１２２は、第１の端部１２８と第２の端部１３０との間に延在する略垂直かつ直線状の第１の脚部１２６を含む。支持フレーム１２２はまた、第１の端部１３４と第２の端部１３６との間に延在する略垂直かつ直線状の第２の脚部１３２を含む。第１の脚部１２６の第１の端部１２８は、袖壁８６Ａの近位縁８８と第１の側縁９２との交点に隣接した袖壁８６Ａの角部で内面９８に連結される。第１の脚部１２６は、隅柱６４Ａに略垂直に隣接しかつ平行に延在する。第２の脚部１３２の第１の端部１３４は、袖壁８６Ａの第２の側縁９４と近位縁８８との交点に隣接した袖壁８６Ａの角部で内面９８に連結される。第２の脚部１３２は、隅柱６４Ｂに略垂直に隣接しかつ平行に延在する。第１の脚部１２６及び第２の脚部１３０の第２の端部１３０及び１３６は、コンテナ２２の屋根５２の高さ以上の高さ又は高度に位置する。
【００１５】
支持フレーム１２２は、第１の脚部１２６の第２の端部１３０及び第２の脚部１３２の第２の端部１３６に連結され、かつそれらの端部の間に延在する梁部１３８を含む。図３に示すように、梁部１３８は、梁部１３８が頂点１４０を含むように略アーチ状である。梁部１３８は、第１の端部１４４と第２の端部１４６との間で略直線状に延在する第１の傾斜垂木状部材１４２を含む。第１の垂木状部材１４２の第１の端部１４４は、第１の脚部１２６の第２の端部１３０に連結される。梁部１３８は、第１の端部１５０及び第２の端部１５２を有する第２の傾斜垂木状部材１４８を含む。第２の垂木状部材１４８の第１の端部１５０は、第２の脚部１３２の第２の端部１３６に連結される。第２の垂木状部材１４８の第２の端部１５２は、頂点１４０で第１の垂木状部材１４２の第２の端部１４６に連結される。頂点１４０は、実質的に屋根５２の上面の高度以上の高度に位置することができる。梁部１３８は、図３に示すように逆Ｖ字状の形状を有するが、円形、楕円状、又は他の曲線形状の一部分として形成されてもよい。あるいは、梁部１３８は、必要に応じて、第１の脚部１２６と第２の脚部１３２との間で略直線状に延在してもよい。
【００１６】
膨張可能な支持フレーム１２４は、膨張可能な支持フレーム１２２から離間し、それに略平行であり、支持フレーム１２２と同様に構築され、支持フレーム１２２の鏡像であり得る。支持フレーム１２４は、第１の端部１５８と第２の端部１６０との間で略垂直かつ直線状に延在する第１の脚部１５６を含む。第１の脚部１５６は、支持フレーム１２２の第１の脚部１２６に平行であり、それから離間する。脚部１５６の第１の端部１５８は、袖壁８６Ａの第１の側縁９２と遠位縁９０との交点に隣接した袖壁８６Ａの角部で内面９８に連結される。支持フレーム１２４は、第１の端部１６４と第２の端部１６６との間で略垂直かつ直線状に延在する第２の脚部１６２を含む。第２の脚部１６２は、支持フレーム１２２の第１の脚部１５６及び第２の脚部１３２から離間し、それらに略平行である。第２の脚部１６２の第１の端部１６４は、袖壁８６Ａの第２の側縁９４と遠位縁９０との交点に隣接した袖壁８６Ａの角部で内面９８に連結される。あるいは、支持フレーム１２２及び１２４の脚部の第１の端部は、袖壁８６Ａが開放位置にあるとき、袖壁８６Ａから外方に位置することができ、その結果、脚部の第１の端部は地面又は袖壁８６Ａに隣接した他の支持構造体によって支持される。
【００１７】
支持フレーム１２４は、頂点１７０を有する可撓性の梁部１６８を含む。梁部１６８は、第１の端部１７４と第２の端部１７６との間で略直線状に延在する略直線状かつ傾斜した第１の垂木状部材１７２を含む。第１の垂木状部材１７２の第１の端部１７４は、第１の脚部１５６の第２の端部１６０に連結される。梁部１６８は、第１の端部１８０と第２の端部１８２との間で略直線状に延在する傾斜した第２の垂木状部材１７８を含む。第２の垂木状部材１７８の第１の端部１８０は、第２の脚部１６２の第２の端部１６６に連結される。第２の垂木状部材１７８の第２の端部１８２は、頂点１７０で第１の垂木状部材１７２の第２の端部１７６に連結される。追加の膨張可能な支持フレームは、必要に応じて支持フレーム１２２と支持フレーム１２４との間に位置することができる。
【００１８】
支持フレーム１２２及び支持フレーム１２４の脚部及び垂木状部材の各々は、空気などの加圧ガスを封止可能に収容するように適合した中空の内腔を有する１つ以上の細長い可撓性チューブを含む。チューブは、断面が円形、矩形、又は他の形状であってもよい。支持フレーム１２２及び支持フレーム１２４の脚部及び垂木状部材並びにこれらの内腔は、互いに流体連通して連結することができる。支持フレーム１２２の脚部及び垂木状部材は、支持フレーム１２２の第１の脚部１２６の第１の端部１２８から支持フレーム１２２の第２の脚部１３２の第１の端部１３４まで延在する内腔を有する単一チューブを含むことができる。支持フレーム１２４は、支持フレーム１２４の第１の脚部１５６の第１の端部１５８から支持フレーム１２４の第２の脚部１６２の第１の端部１６４まで延在する内腔を有する単一チューブを含むことができる。
【００１９】
膨張可能な支持構造体１２０は、複数の略直線状かつ細長い横支材１８６Ａ〜Ｅを含む。各支材１８６Ａ〜Ｅは、空気などの加圧ガスを封止可能に収容するように適合した中空の内腔を有する細長い可撓性チューブを含む。支材１８６Ａは、第１の脚部１５６の第１の端部１５８と流体連通して連結される第１の端部１８８と、第１の脚部１２６の第１の端部１２８と流体連通して連結される第２の端部１９０との間に延在し、その結果、支材１８６Ａの内腔は第１の脚部１５６及び第１の脚部１２６の内腔と流体連通する。支材１８６Ｂは、第１の脚部１５６の第２の端部１６０及び第１の垂木状部材１７２の第１の端部１７４に隣接した支持フレーム１２４と流体連通して連結される第１の端部１９２と、第１の脚部１２６の第２の端部１３０及び第１の垂木状部材１４２の第１の端部１４４に隣接した支持フレーム１２２と流体連通して連結される第２の端部１９４との間に延在し、その結果、支材１８６Ｂの内腔は第１の脚部１５６及び第１の脚部１２６の内腔と流体連通する。
【００２０】
支材１８６Ｃは、頂点１７０で支持フレーム１２４の梁部１６８と流体連通し、かつ第１の垂木状部材１７２及び第２の垂木状部材１７８の第２の端部１７６及び１８２に隣接して連結された第１の端部１９６と、頂点１４０で支持フレーム１２２の梁部１３８と流体連通し、かつ第１の垂木状部材１４２及び第２の垂木状部材１４８の第２の端部１４６及び１５２に隣接して連結された第２の端部１９８との間に延在し、その結果、支材１８６Ｃの内腔は梁部１６８及び１３８の内腔と流体連通する。
【００２１】
支材１８６Ｄは、第２の脚部１６２の第２の端部１６６及び第２の垂木状部材１７８の第１の端部１８０に隣接した支持フレーム１２４と流体連通して連結される第１の端部２００と、第２の脚部１３２の第２の端部１３６及び第２の垂木状部材１４８の第１の端部１５０に隣接した支持フレーム１２２と流体連通して連結された第２の端部２０２との間に延在し、その結果、支材１８６Ｄの内腔は第２の脚部１６２及び第２の脚部１３２の内腔と流体連通する。支材１８６Ｅは、第２の脚部１６２の第１の端部１６４と流体連通して連結される第１の端部２０４と、第２の脚部１３２の第１の端部１３４と流体連通して連結される第２の端部２０６との間に延在し、その結果、支材１８６Ｅの内腔は第２の脚部１６２及び第２の脚部１３２の内腔と流体連通する。支持構造体１２０は、必要に応じて支持フレーム１２２と支持フレーム１２４との間に延在する追加又はより少ない支材を含むことができる。
【００２２】
支材１８６Ａ〜Ｅの内腔、並びに支持フレーム１２２及び１２４の脚部及び垂木状部材の内腔はすべて、互いに流体連通することができる。支材１８６Ａ〜Ｅ、並びに支持フレーム１２２及び１２４の脚部及び垂木状部材は、ゴム引き帆布、編組み繊維、織繊維、又は複合材料などの可撓性の気密材から作製することができ、その結果、膨張可能な支持構造体１２０は支持構造体１２０のチューブ内に選択された空気圧を維持することができる。膨張可能な支持構造体１２０は、膨張可能な支持構造体１２０のチューブの内腔への空気などのガスの流れを制御し、それにより膨張可能な支持構造体１２０を膨張させ、かつ膨張可能な支持構造体１２０から出る膨張可能な支持構造体１２０のチューブの内腔内に位置するガスの流れを制御し、それにより膨張可能な支持構造体１２０を収縮させて折り畳むように適合された１つ以上の弁を含むことができる。膨張可能な支持構造体１２０を図３における膨張及び展開された運用形態に示す。空気圧縮機又は送風機などからの加圧空気源は、膨張可能な支持構造体１２０のチューブ内に加圧空気を提供し、かつ支持構造体１２０を膨張させて、それにより膨張可能な支持構造体１２０をその折り畳まれた形態からその膨張及び展開された形態まで拡張するように、膨張可能な支持構造体１２０の内腔と流体連通して選択的に連結することができる。
【００２３】
テント２４Ａは、膨張可能な支持構造体１２０上かつその周囲に延在する可撓性の柔らかい壁の外側カバー２２０を含む。外側カバー２２０は、第１の脚部１５６の第１の端部１５８から第２の脚部１６２の第１の端部１６４まで支持フレーム１２４に連結され、かつその支持フレームに沿って延在する可撓性の略平坦な外端壁２２２を含む。外端壁２２２は、支持フレーム１２４の第１の脚部１５６と第２の脚部１６２との間に延在する。外端壁２２２はまた、袖壁８６Ａの遠位縁９０と支持フレーム１２４の梁部１６８との間に延在する。外端壁２２２は、袖壁８６Ａの遠位縁９０と封止係合して連結される細長い直線状の下縁２２４を含んでおり、それらの縁部の間に風雨密シールを提供する。カバー２２２はまた、外端壁２２２から離間し、かつそれに略平行である可撓性の略平坦な内端壁２２６を含む。内端壁２２６は、第１の垂木状部材１４２の第１の端部１４４から第２の垂木状部材１４８の第１の端部１５０まで支持フレーム１２２の梁部１３８に連結され、その梁部に沿って延在する。内端壁２２６はまた、支持フレーム１２２の梁部１３８とコンテナ２２の屋根５２とコンテナ２２における開口部１０８の上縁１１０との間に延在する。内端壁２２６は、コンテナ２２の開口部１０８の上縁１１０と封止係合して連結され、かつそれに沿って延在する略直線状の下縁２２８を含んでおり、それらの縁部の間に風雨密シールを形成する。
【００２４】
カバー２２０は、支持フレーム１２２の第１の脚部１２６及び支持フレーム１２４の第１の脚部１５６に連結され、それらの脚部の間に延在し、かつ支材１８６Ａと支材１８６Ｂとの間に延在する、可撓性の略平坦な第１の側壁２３０を含む。第１の側壁２３０は、近位縁８８と遠位縁９０との間の第１の側縁９２に隣接した袖壁８６Ａと封止係合して連結される水平な略直線状の下縁２３２を含んでおり、それらの間に風雨密シールを形成する。第１の側壁２３０は、コンテナ２２の開口部１０８の第２の側縁１１４と封止係合して連結される略垂直かつ直線状の側縁２３４を含んでおり、それらの縁部の間に風雨密シールを形成する。カバー２２０はまた、支持フレーム１２２の第２の脚部１３２及び支持フレーム１２４の第２の脚部１６２に連結され、それらの脚部の間に延在し、かつ支材１８６Ｄと支材１８６Ｅとの間に延在する、可撓性の略平坦な第２の側壁２３６を含む。第２の側壁２３６は、第２の側縁９４に隣接して袖壁８６Ａに沿って延在し、かつそれに封止可能に連結される細長い略直線状の下縁２３８を含んでおり、それらの間に風雨密シールを形成する。第２の側壁２３６は、コンテナ２２の開口部１０８の第２の側縁１１４に封止可能に連結され、かつそれに沿って延在する略垂直かつ直線状の側縁２４０を含んでおり、それらの縁部の間に風雨密シールを形成する。カバー２２０は、それによりコンテナ２２の開口部１０８の上縁１１０、第１の側縁１１２、及び第２の側縁１１４に沿って、かつコンテナ２２の袖壁８６Ａの遠位縁９０並びに第１の側縁９２及び第２の側縁９４に沿って、コンテナ２２と風雨密係合して封止可能に連結される。
【００２５】
図６に示すように、カバー２２０の第２の側壁２３６の側縁２４０は、ブチルシーラントテープなどの弾性シーラント部材２４６によって、コンテナ２２の第１の側面３２に封止可能に連結される。シーラント部材２４６は、コンテナ２２の第１の側面３２における開口部１０８の第２の側縁１１４に隣接して第２の側壁２３６の側縁２４０とコンテナ２２の第１の側面３２との間に位置する。細長く略平坦なバテンバー２４８は、側縁２４０で第２の側壁２３６の外面に隣接して位置し、１つ以上の区分で側縁２４０の長さにわたる。第２の側壁２３６の側縁２４０及びシーラント部材２４６は、互いに係合して、かつバテンバー２４８、第２の側壁２３６の側縁２４０、シーラント部材２４６、及びコンテナ２２の第１の側面３２を通って延在する皿ねじなどの複数の締結具２５０によってバテンバー２４８とコンテナ２２の第１の側面３２との間に挟持される。第２の側壁２３６の側縁２４０は、それによりコンテナ２２の第１の側面３２と封止風雨密係合して連結される。カバー２２０は、開口部１０８の周囲の側面に沿って、かつ同様に袖壁８６Ａの縁部に沿ってコンテナ２２と封止係合して連結される。
【００２６】
カバー２２０はまた、外端壁２２２及び内端壁２２６の上縁と、第１の側壁２３０及び第２の側壁２３６の上縁との間に延在する可撓性屋根２５４を含む。屋根２５４は、支持フレーム１２２の梁部１３８、支持フレーム１２４の梁部１６８、並びに支材１８６Ｂ、１８６Ｃ及び１８６Ｄに沿って延在し、それらに連結される。図４に示すように、屋根２５４は、略逆Ｖ字状の形状を有し、外端壁２２２と内端壁２２６との間で略横方向に延在する細長い隆起部２５６と、第１の側壁２３０と隆起部２５６との間に延在する傾斜した略平坦な第１の屋根パネル２５８と、第２の側壁２３６と隆起部２５６との間に延在する傾斜した略平坦な第２の屋根パネル２６０とを含む。隆起部２５６は、実質的な距離、コンテナ２２の屋根５２のより上方に位置する。
【００２７】
カバー２２０は、ゴム引き帆布、編組み繊維、織繊維、又は複合材料などの可撓性材料を含む。カバー２２０は、テント２４Ａが図４に示すように拡張及び展開された形態であり、すなわち、コンテナ２２内の内部空間と連通するとき、カバー２２０内に風雨密の開放遮蔽空間を提供するように防水及び防風である。
【００２８】
図４に示すように、カバー２２０の屋根２５４は、テント２４Ａがコンテナ２２の屋根５２によって提供される上部空間と比較してテント２４Ａ内の遮蔽空間内に大幅な追加の上部空間、床と屋根との間の距離を提供するように、実質的な距離、コンテナ２２の屋根５２のより上方に位置する。テント２４Ａはまた、温風が遮蔽空間内に位置する人員及び機器から離れて方向付けられるように、テント２４Ａ〜Ｂ及びコンテナ２２の遮蔽空間内の温風の収集のためにコンテナ２２の屋根５２のより上方にテント２４Ａ内に遮蔽空間の実質的な追加体積を提供する。屋根２５４の先の尖った形状は、遮蔽空間内の温風を屋根２５４の隆起部２５６に向ける。
【００２９】
通気口２６４は、屋根２５４の隆起部２５６に隣接した外端壁２２２の上端に位置することができる。通気口２６４は、テント２４Ａ内の遮蔽空間とテント２４Ａの外部との間の流体連通を提供して、それによりテント２４Ａ内の遮蔽空間から外気に温風を排出し、かつそれによりテント２４Ａ及びシェルタ２０内の遮蔽空間を冷却する１つ以上の孔を含む。必要に応じて、通気口２６４はまた、頂点２５６に隣接した内端壁２２６に位置することができる。通気口２６４は、テント２４Ａ内からテント２４Ａの外気に空気を送り出す電動ファン又は送風機を含んでもよい。テント２４Ａによって提供されるときに増大した上部空間及びその通気は、遮蔽空間が台所、洗濯場、又は熱を発生する他の設備に使用されるときに特に有用である。
【００３０】
図４に示すように、カバー２２０の第２の側壁２３６は、外気がテント２４Ａの遮蔽空間に送り込まれ、又は吹き込まれて、テント２４Ａの遮蔽空間内に空気循環をもたらすように、ファン又は送風機などの空気循環装置に連結されるように適合した孔２６６を含むことができる。
【００３１】
加えて、外端壁２２２、第１の側壁２３０、及び第２の側壁２３６は各々、１つ以上の窓２７０を含むことができる。各窓２７０は、面ファスナなどの締結具によってカバー２２０に取り外し可能に連結される透明又は半透明の可撓性プラスチックシート又は窓を含むことができる。各窓２７０はまた、面ファスナなどの締結具にカバー２２０によって取り外し可能に連結された複数の孔を含む網目の防虫スクリーンを含むことができ、網目スクリーンはプラスチック窓の内部を覆う。各窓２７０はまた、網目スクリーンを覆い、かつ白い内面を含むカバー２２０と同じ材料から形成された内装パネルを含むことができる。内装パネルは、内装パネルの上縁にわたってカバー２２０に固定することができるが、側縁及び下縁は、面ファスナなどの解放可能な締結具でカバー２２０に取り外し可能に連結することができる。内装パネルは、それにより内装パネルがプラスチック窓又は網目スクリーンを遮らないように、選択的に巻き上げられ、巻き上げられた位置で固定され得る。同様に、カバー２２０と同じ材料から作製される外装パネルは、プラスチック窓の外部を過度にすることができる。外装パネルの上縁は、カバー２２０に固定することができ、外装パネルの側縁及び下縁は、面ファスナなどの解放可能な締結具でカバー２２０に取り外し可能に連結することができる。外装パネルは、それにより外装パネルがプラスチック窓又は網目スクリーンを遮らないように、選択的に巻き上げられ、巻き上げられた位置で固定され得る。
【００３２】
図４に示すように、カバー２２０の壁は、第１のスリーブ２８０及び第２のスリーブ２８２を含むことができる。スリーブ２８０及び２８２は、略チューブ状であり得る。各スリーブ２８０及び２８２は、遠位口２８４と、テント２４Ａ内の遮蔽空間と流体連通して遠位口２８４を接続する中空の内腔とを含む。第１のスリーブ２８０及び第２のスリーブ２８２は、テント２４Ａ及びシェルタ２０の内部遮蔽空間に暖房、換気、及び空調を提供するように適合した環境制御ユニット（ＥＣＵ）に連結されるように適合する。ＥＣＵの入口ダクトは、入口ダクトがテント２４Ａへの空気流を提供する遮蔽空間と流体連通するように、第１のスリーブ２８０内に配設されるように適合する。遠位口２８４に位置する引き紐又はゴム紐などの締結具は、第１のスリーブ２８０をＥＣＵの入口ダクトと係合させて、それらの間に気密接続を提供する。ＥＣＵはまた、第２のスリーブ２８２内に配設されるように適合した出口ダクトを含み、その結果、出口ダクトはテント２４Ａ及びシェルタ２０の遮蔽空間内から外方に空気を送り出す。引き紐又はゴム紐などの締結具は、第２のスリーブ２８２の遠位口２８４をＥＣＵの出口ダクトと係合させて、それらの間に気密接続を提供する。
【００３３】
運用時に、シェルタ２０が図１に示すように折り畳まれた形態又は輸送形態であるとき、シェルタ２０は、トラック、列車、船舶、航空機、ヘリコプタ、フォークリフトなどを含む様々な輸送手段によって輸送することができる。図４に示すようにシェルタ２０を拡張又は展開された形態に転換又は拡張することが所望されると、ラッチ１０４は解放され、袖壁８６Ａは、袖壁８６Ａの内面９８がコンテナ２２の床３８と略同一平面である床として機能する略水平な開放位置まで軸１００を中心として枢動される。ジャッキなどの１つ以上の調整可能な支持部材は、地面上の袖壁８６Ａ又は他の支持構造体を所望の位置で支持するために使用することができる。加圧又は圧縮空気の供給は、テント２４Ａの膨張可能な支持構造体１２０の内腔に接続され、その結果、加圧空気は膨張可能な支持構造体１２０のチューブを充填し、図３及び図４に示すように折り畳まれた収縮形態から直立した膨張形態まで膨張可能な支持構造体１２０を膨張させる。膨張可能な支持構造体１２０は、膨張可能な支持構造体１２０が膨張するときに図４に示すように、折り畳まれた形態から拡張及び展開された運用形態までカバー２２０を拡張する。カバー２２０は、膨張可能な支持構造体１２０によって展開された形態で弾力的かつ弾性的に支持される。膨張可能な支持構造体１２０及びカバー２２０は、支持構造体１２０又はカバー２２０を損傷することなく様々な荷重条件に反応して弾性的に曲げて屈曲することができる。テント２４Ｂは、テント２４Ａと略同様に袖壁８６Ｂに関連して、折り畳まれた出荷又は輸送形態から拡張及び展開された運用形態に転換又は展開することができる。２つ以上のシェルタ２０は、展開された形態では、シェルタ複合体を形成するように渡り廊下とともに連結することができる。
【００３４】
シェルタ２０を拡張展開された形態から折り畳まれた出荷又は輸送形態に転換することが所望されると、膨張可能な支持構造体１２０のチューブ内の空気は、大気に排出され、それにより膨張可能な支持構造体１２０を収縮して折り畳む。膨張可能な支持構造体１２０が収縮すると、膨張可能な支持構造体１２０及びカバー２２０は、袖壁８６Ａ上で弾力的に折り畳める。膨張可能な支持構造体１２０及びカバー２２０が完全に折り畳まれると、袖壁８６Ａは、図２に示すような拡張展開された運用位置から図１に示すような直立垂直な出荷位置に枢動され、その後、ラッチ１０４はテント２４Ａがコンテナ２２の内部空間内に収容された垂直な出荷位置に袖壁８６Ａを固定する。テント２４Ｂは、テント２４Ａと略同様に袖壁８６Ｂに関連して、拡張及び展開された運用形態から折り畳まれた出荷又は輸送形態に転換することができる。シェルタ２０は、膨張可能テント２４Ａ〜Ｂとともに、準備時間、準備に必要な工数を減少させ、従来のシェルタより快適な作業環境を提供する。膨張可能テント２４Ａ〜Ｂは、金属機械的支持構造体によって支持された元々含まれたカバーの代わりに他のシェルタのコンテナに組み込むことができる。
【００３５】
可搬式拡張可能シェルタの別の実施形態を可搬式拡張可能シェルタ３００として図７〜図１２に示す。拡張可能シェルタ３００は、拡張可能シェルタ２０と同様に構築され、類似部分が同じ参照番号で識別される。可搬式拡張可能シェルタ３００は、折り畳まれた出荷又は輸送形態と、シェルタ３００内に作業及び居住空間を提供するために図７〜図１０に示すような拡張展開された運用形態との間で転換可能である。拡張可能シェルタ３００は、剛壁コンテナ２２と、１つ以上の空気膨張可能テント２４Ａ〜Ｂとを含む。各膨張可能テント２４Ａ〜Ｂは、可撓性かつ膨張可能な支持構造体１２０を含む。各膨張可能な支持構造体１２０は、可撓性かつ膨張可能な支持フレーム１２２と、離間して略平行な可撓性かつ膨張可能な支持フレーム１２４とを含む。
【００３６】
図１１及び図１２に示すように、支持フレーム１２２の梁部１３８は、略アーチ状であり、傾斜した第１の垂木状部材１４２と、傾斜した第２の垂木状部材１４８とを含む。図３に示すように略直線状であることとは対照的に、第１の垂木状部材１４２及び第２の垂木状部材１４８を、略凹状又はアーチ状であるように図１１及び図１２に示す。支持フレーム１２４は、図３に示すように略直線状ではなく、図１１及び図１２に示すように略凹状又はアーチ状である傾斜した第１の垂木状部材１７２及び傾斜した第２の垂木状部材１７８を有するアーチ状の梁部１６８を含む。
【００３７】
図１１及び図１２に示すように、拡張可能シェルタ３００のテント２４Ａは、膨張可能な支持構造体１２０上かつその周囲に延在する可撓性の柔らかい壁の外側カバー２２０と、外側カバー２２０及び膨張可能な支持構造体１２０内に位置する可撓性の柔らかい壁の内側カバー３０４とを含む。内側カバー３０４は、支持構造体１２０に接続し、外側カバー２２０から離間することができる。内側カバー３０４は、外側カバー２２０と同じ材料から作製することができる。
【００３８】
内側カバー３０４は、支持フレーム１２２の第１の脚部１２６及び支持フレーム１２４の第１の脚部１５６に連結され、それらの脚部の間に延在し、かつ支材１８６Ａと支材１８６Ｂとの間に延在する、可撓性の略平坦な第１の側壁３０６を含む。第１の側壁３０６は、外側カバー２２０の第１の側壁２３０から離間し、それと略同延かつ平行に延在する。内側カバー３０４は、支持フレーム１２２の第２の脚部１３２及び支持フレーム１２４の第２の脚部１６２に連結され、それらの脚部の間に延在し、かつ支材１８６Ｄと支材１８６Ｅとの間に延在する、可撓性の略平坦な第２の側壁３０８を含む。第２の側壁３０８は、外側カバー２２０の第２の側壁２３６から離間し、それと略同延かつ平行に延在する。
【００３９】
内側カバー３０４はまた、第１の側壁３０６の上縁と第２の側壁３０８の上縁との間に延在する可撓性屋根３１０を含む。屋根３１０は、支持フレーム１２２の梁部１３８、支持フレーム１２４の梁部１６８、並びに支材１８６Ｂ、１８６Ｃ及び１８６Ｄに沿って延在し、それらに連結される。屋根３１０は、略凹状又はアーチ状を有する。屋根３１０は、屋根２５４の内側に位置し、それと略同延かつそれから離間して延在する。内側カバー３０４はまた、可撓性の略平坦な内端壁３１２を含む。内端壁３１２は、第１の垂木状部材１４２の第１の端部１３４から第２の垂木状部材１４８の第１の端部１５０まで支持フレーム１２２の梁部１３８に連結され、かつその梁部に沿って延在する。内端壁３１２はまた、支持フレーム１２２の梁部１３８とコンテナ２２の屋根５２とコンテナ２２内の開口部１０８の上縁１１０との間に延在する。内端壁３１２は、外側カバー２２０の内端壁２２６と略同延にかつそれから離間して延在する。
【００４０】
シェルタ３００の膨張可能テント２４Ａ及び２４Ｂは、互いに略同一に、又は互いの鏡像として構築することができる。各テント２４Ａ及び２４Ｂは、必要に応じて１つ以上の窓及び１つ以上のドアを個別に含むことができる。拡張可能シェルタ３００の膨張可能テント２４Ａ及び２４Ｂは、様々な輸送手段によって輸送のための折り畳まれた形態又は輸送形態と、拡張可能シェルタ２０の膨張可能テント２４Ａ及び２４Ｂと同様に拡張又は展開された形態との間で転換される。
【図１】
2018532920.tif 000003
【図２】
2018532920.tif 000004
【図３】
2018532920.tif 000005
【図４】
2018532920.tif 000006
【図５】
2018532920.tif 000007
【図６】
2018532920.tif 000008
【図７】
2018532920.tif 000009
【図８】
2018532920.tif 000010
【図９】
2018532920.tif 000011
【図１０】
2018532920.tif 000012
【図１１】
2018532920.tif 000013
【図１２】
2018532920.tif 000014
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
折り畳まれた輸送形態と拡張された運用形態との間で転換可能であるシェルタであって、前記シェルタは、
基部と、屋根と、第１の袖壁とを含むコンテナであって、前記第１の袖壁は、第１の端部及び第２の端部を有する近位縁と、第１の端部及び第２の端部を有する遠位縁とを含み、前記第１の袖壁の前記近位縁は、前記基部に隣接して位置し、前記第１の袖壁は、閉鎖位置と略水平な開放位置との間で選択的に枢動する、コンテナと、
可撓性の膨張可能な支持構造体及び可撓性のカバーを含む膨張可能な第１のテントであって、前記支持構造体は、第１の脚部、第２の脚部及び梁部を有する可撓性の第１の支持フレームであって、前記梁部が前記第１の支持フレームの前記第１の脚部と前記第２の脚部との間に延在する、第１の支持フレームと、第１の脚部及び第２の脚部を有する可撓性の第２の支持フレームとを含み、前記カバーは外端壁を含む、膨張可能な第１のテントと、を備え、
前記第１の袖壁が開放位置にあるとき、前記膨張可能な支持構造体は、拡張された運用形態まで選択的に膨張可能であり、それにより拡張された運用形態で前記カバーを支持して前記カバーが前記第１の袖壁上に遮蔽空間を形成し、前記膨張可能な支持構造体は、折り畳まれた形態まで選択的に収縮可能であり、それにより前記第１の袖壁が前記閉鎖位置に枢動され得、
前記第１の袖壁が前記開放位置にあり且つ前記膨張可能な支持構造体が前記運用形態であるとき、前記第１の支持フレームの前記第１の脚部は、前記第１の袖壁の前記近位縁の前記第１の端部に隣接して位置し、前記第１の支持フレームの前記第２の脚部は、前記第１の袖壁の前記近位縁の前記第２の端部に隣接して位置し、前記第２の支持フレームの前記第１の脚部は、前記第１の袖壁の前記遠位縁の前記第１の端部に隣接して位置し、前記第２の支持フレームの前記第２の脚部は、前記第１の袖壁の前記遠位縁の前記第２の端部に隣接して位置し、前記カバーの前記屋根は、前記第１の支持フレームの前記梁部に支持され、前記屋根は、前記コンテナの前記屋根よりも高い高度に少なくとも部分的に位置し、前記カバーの前記外端壁は、前記第１の袖壁の前記遠位縁に沿って且つ前記第２の支持フレームの前記第１の脚部と前記第２の脚部との間に延在して前記第１の袖壁に接続され、前記第１の袖壁は、前記カバー内に前記遮蔽空間のための略水平な床を形成する、
シェルタ。
【請求項２】
前記第１の支持フレームの前記梁部は、前記コンテナの前記屋根よりも高い高度に少なくとも部分的に位置し、前記第１の支持フレームの前記第１の脚部、前記第２の脚部及び前記梁部は各々、加圧ガスを収容するように適合した内腔を有するチューブを備える、請求項１に記載のシェルタ。
【請求項３】
前記第１の支持フレームの前記梁部は、略アーチ状であり、傾斜した第１の垂木状部材と、傾斜した第２の垂木状部材とを含む、請求項２に記載のシェルタ。
【請求項４】
前記第１の袖壁が前記開放位置にあり且つ前記支持構造体が前記運用形態であるとき、前記第１の支持フレームの前記第１の脚部は、前記コンテナの側面における開口部の第１の側縁に隣接して位置し、前記第１の支持フレームの第２の脚部は、前記コンテナの前記側面における前記開口部の第２の側縁に隣接して位置する、請求項１に記載のシェルタ。
【請求項５】
前記第２の支持フレームは、前記第２の支持フレームの前記第１の脚部と前記第２の脚部との間に延在する梁部を含み、前記支持構造体が前記運用形態であるとき、前記第２の支持フレームの前記梁部は、前記コンテナの前記屋根よりも高い高度に少なくとも部分的に位置し、前記第２の支持フレームの前記第１の脚部、前記第２の脚部及び前記梁部は各々、加圧ガスを収容するように適合した内腔を有するチューブを備える、請求項２に記載のシェルタ。
【請求項６】
前記第１の支持フレームの前記梁部と前記第２の支持フレームの前記梁部との間に延在する支材を含み、前記支持構造体が前記運用形態であるとき、前記支材は、前記コンテナの前記屋根よりも高い高度に位置し、前記支材は、前記カバーの前記屋根を支持する、請求項５に記載のシェルタ。
【請求項７】
前記第１の支持フレームと前記第２の支持フレームとの間に延在する１つ以上の支材を含み、各支材は加圧ガスを収容するように適合した内腔を有するチューブを備える、請求項１に記載のシェルタ。
【請求項８】
前記第１の支持フレームは１つ以上のチューブを含み、前記第２の支持フレームは１つ以上のチューブを含み、前記第１の支持フレームの前記チューブ、前記第２の支持フレームの前記チューブ及び前記支材の前記チューブは、互いに流体連通する、請求項７に記載のシェルタ。
【請求項９】
前記第１の袖壁が前記開放位置にあり且つ前記支持構造体が前記運用形態であるとき、前記第１の支持フレームの前記第１の脚部及び前記第２の脚部並びに前記第２の支持フレームの前記第１の脚部及び前記第２の脚部は、前記第１の袖壁のそれぞれの角部に隣接して位置する、請求項１に記載のシェルタ。
【請求項１０】
前記第１のテントの前記カバーの外端壁は通気口を含み、前記支持構造体が前記運用形態であるとき、前記通気口は、前記コンテナの前記屋根の高度より高い高度に位置する、請求項１に記載のシェルタ。
【請求項１１】
前記第１の袖壁が開放位置にあり且つ前記支持構造体が前記運用形態であるとき、前記第１のテントの前記カバーは、前記コンテナの側面における開口部の上縁に向かって前記第１の支持フレームの前記梁部から下方に延在する内端壁を含み、前記カバーの前記外端壁は、前記第１の袖壁の前記遠位縁に向かって前記第２の支持フレームの前記梁部から下方に延在する、請求項５に記載のシェルタ。
【請求項１２】
前記第１のテントの前記カバーは、外側カバーを備え、前記第１のテントは、運用形態で前記膨張可能な支持構造体によって支持されるように適合した可撓性の内側カバーを含み、前記支持構造体が前記運用形態であるとき、前記内側カバーは前記外側カバーから離間する、請求項１に記載のシェルタ。
【請求項１３】
前記コンテナは、第２の袖壁を含み、前記第２の袖壁は閉鎖位置と開放位置との間で選択的に枢動し、前記シェルタは可撓性の膨張可能な支持構造体及び可撓性カバーを含む膨張可能な第２のテントを備え、前記第２のテントの前記支持構造体は、運用形態まで選択的に膨張可能であり、それにより運用形態で前記第２のテントの前記カバーを支持し、前記第２のテントの前記支持構造体は、折り畳まれた形態まで選択的に収縮可能であり、それにより前記第２の袖壁が前記閉鎖位置に枢動され得る、請求項１に記載のシェルタ。
【請求項１４】
折り畳まれた輸送形態と拡張された運用形態との間でシェルタを転換する方法であって、前記方法は、
基部と、屋根と、袖壁とを含むコンテナであって、前記袖壁は、第１の端部及び第２の端部を有する近位縁と、第１の端部及び第２の端部を有する遠位縁とを含み、前記袖壁の前記近位縁は、前記基部に隣接して位置し、前記袖壁は、閉鎖位置と略水平な開放位置との間で選択的に枢動する、コンテナと、可撓性の膨張可能な支持構造体及び可撓性カバーを含む膨張可能なテントであって、前記支持構造体は、第１の脚部及び第２の脚部を有する可撓性の第１の支持フレームと、第１の脚部及び第２の脚部を有する可撓性の第２の支持フレームとを含み、前記カバーは外端壁を含む、テントとを提供することと、
前記袖壁を前記略水平な開放位置に枢動することと、
前記支持構造体を拡張された運用形態まで膨張させ、それにより拡張された運用形態で前記カバーを前記袖壁上に支持して前記カバーが前記袖壁上に遮蔽空間を形成し、それにより前記第１の支持フレームの前記第１の脚部は、前記袖壁の前記近位縁の前記第１の端部に隣接して位置し、前記第１の支持フレームの前記第２の脚部は、前記袖壁の前記近位縁の前記第２の端部に隣接して位置し、前記第２の支持フレームの前記第１の脚部は、前記袖壁の前記遠位縁の前記第１の端部に隣接して位置し、前記第２の支持フレームの前記第２の脚部は、前記袖壁の前記遠位縁の前記第２の端部に隣接して位置し、前記カバーの前記外端壁は、前記袖壁の前記遠位縁に沿って且つ前記第２の支持フレームの前記第１の脚部と前記第２の脚部との間に延在して前記袖壁に接続され、前記袖壁は、前記カバー内に前記遮蔽空間のための略水平な床を形成することと、
を含む、方法。
【請求項１５】
前記支持構造体を前記運用形態から折り畳まれた形態まで収縮するステップと、
前記テントが前記コンテナ内に位置するように、前記袖壁を前記閉鎖位置に枢動するステップと、
を含む、請求項１４に記載の方法。
【国際調査報告】
2018532920.tif 000015